(57)【特許請求の範囲】
【請求項１】
主にペットの抜け毛を捕集するマットにおいて、
マットのベースとなる基部層と；
前記基部層の表面に形成される捕集層とを備え、
前記捕集層は、１〜２２デシテックスの繊維で形成されるループ状の起毛領域を含むことを特徴とするペット用毛取りマット。
【請求項２】
前記捕集層の起毛領域を形成する繊維が、２〜１１デシテックスに設定されていることを特徴とする請求項１に記載のペット用毛取りマット。
【請求項３】
前記起毛領域を形成する繊維の嵩密度が、０．０２ｇ／ｃｍ３以下であることを特徴とする請求項１又は２に記載のペット用毛取りマット。
【請求項４】
前記起毛領域を形成する繊維の嵩密度が、０．０１ｇ／ｃｍ３以下であることを特徴とする請求項３に記載のペット用毛取りマット。
【請求項５】
前記起毛領域を形成する繊維の起毛量が、１０ｇ／ｃｍ２以上であることを特徴とする請求項１，２，３又は４に記載のペット用毛取りマット。
【請求項６】
前記起毛領域を形成する繊維の起毛量が、２０ｇ／ｃｍ２以上であることを特徴とする請求項５に記載のペット用毛取りマット。
【請求項７】
前記起毛領域は、約１０ｇ／ｃｍ２の圧力に対して可逆的に圧縮・反発するような厚みに設定されていることを特徴とする請求項１，２，３，４，５又は６に記載のペット用毛取りマット。
【請求項８】
主にペットの抜け毛を捕集するペット用毛取りマットにおいて、
マットのベースとなる基部層と；
前記基部層の表面に形成される捕集層とを備え、
前記基部層は、嵩密度０．０５ｇ／ｃｍ３以上、集積量２０ｇ／ｍ２以上に設定され、
前記捕集層は、１〜２２デシテックスの繊維で形成されるループ状の起毛領域を含み、当該繊維の嵩密度が０．０２ｇ／ｃｍ３以下、起毛量が１０ｇ／ｃｍ２以上であり、且つ、約１０ｇ／ｃｍ２の圧力に対して可逆的に圧縮・反発するような厚みに設定されていることを特徴とするペット用毛取りマット。
【発明の詳細な説明】
【０００１】
【発明の属する技術分野】
本発明は、主にペットの抜け毛を捕集するための毛取りマットに関する。
【０００２】
【従来の技術】
近年、犬や猫などのペットを家族と同様に扱うケースが増えてきているように思える。例えば、ペットを家の中で飼育したり、車で移動の際にも同乗させる場合がある。ペットの毛（径＝２０〜４０μｍ）は人間の髪の毛（径＝６０〜８０μｍ）に比べて細く、衣類、ソファ、車のシート等に付着し易い。そこで、従来は、掃除機や粘着ローラ、ワイプスなどでペットの抜け毛を除去していた。
【０００３】
【発明が解決しようとする課題】
しかしながら、ペットの毛は常時抜け続けるため、掃除しても追いつかず、常に汚れた状態となってしまう。ペットの抜け毛は、衣類などに付着しない場合には、空気中を浮遊し、人間が空気と一緒に吸い込んでアレルギーの原因になったり、食事に混入する恐れもある。
【０００４】
本発明は上記のような状況に鑑みてなされたものであり、ペットの抜け毛を確実に捕集可能な新規なペット用毛取りマットを提供することを目的とする。
【０００５】
【課題を解決するための手段】
上記課題を解決するために、本発明に係るペット用毛取りマットは、マットのベースとなる基部層と；基部層の表面に形成される捕集層とを備える。そして、捕集層は、１〜２２デシテックス（約１〜２０デニール）の繊維で形成されるループ状の起毛領域を含んでいる。起毛領域を形成する繊維は１〜２２デシテックス（約４〜８０μｍ）であり、犬や猫などのペットの毛に近いため、ペットの抜け毛が容易に捕捉される。好ましくは、捕集層の起毛領域を形成する繊維を、２〜１１デシテックス（約２〜１０デニール）に設定する。なお、繊維の単位は、１デシテックス＝１．１１デニールとなる。
【０００６】
更に、起毛領域を形成する繊維の嵩密度を０．０２ｇ／ｃｍ３以下、好ましくは、０．０１ｇ／ｃｍ３以下にすることにより、捕集された抜け毛を回収するのが容易になる。すなわち、上記のような設定にすることにより、起毛領域のループ状の繊維に捕捉された毛が、当該繊維に必要以上に強く絡みつかない。
【０００７】
また、起毛領域を形成する繊維の起毛量を１０ｇ／ｃｍ２以上、好ましくは、２０ｇ／ｃｍ２以上に設定することにより、更に確実にペットの抜け毛を捕集することが可能となる。
【０００８】
また、起毛領域を、約１０ｇ／ｃｍ２の圧力に対して可逆的に圧縮・反発するような厚みに設定することにより、ペットが抵抗無く当該マットの上に載るようになる。すなわち、マット自体の感触が硬いためにペットが敬遠するようなことが無くなる。
【０００９】
【発明の実施の形態】
図１は、本発明の実施形態にかかるペット用毛取りマットの拡大断面構造を示す。このマットは、マットのベースとなる基部層１０と、基部層１０の表面に形成される捕集層１２とを備えている。捕集層１２は、繊維１２ａで形成されるループ状の起毛領域を構成している。基部層１０の裏面には、樹脂層１４が形成されている。
【００１０】
基部層１０としては、例えば、レーヨン、ポリプロピレン、ポリエチレン、ポリエステル等を加工したポイントボンド、スパンボンド等の不織布を使用することができる。本実施例の基部層１０は、繊維集積した構造であり、嵩密度を０．０５ｇ／ｃｍ３以上とする。好ましくは、０．０８ｇ／ｃｍ３以上、例えば、０．１ｇ／ｃｍ３とする。また、基部層１０を構成する繊維の集積量は、２０ｇ／ｍ２以上、好ましくは、３０ｇ／ｍ２以上とする。
【００１１】
捕集層１２の起毛領域を形成する繊維１２ａは、１〜２２デシテックスとし、嵩密度は０．０２ｇ／ｃｍ３以下、好ましくは、０．０１ｇ／ｃｍ３以下とする。また、起毛量は、１０ｇ／ｃｍ２以上、好ましくは、２０ｇ／ｃｍ２以上とする。繊維１２ａが、１〜２２デシテックスであり、犬や猫などのペットの毛に近いため、ペットの抜け毛が容易に捕捉される。また、繊維１２ａの嵩密度が、０．０２ｇ／ｃｍ３以下としているため、捕集された抜け毛を回収するのが容易になる。すなわち、上記のような設定にすることにより、起毛領域のループ状の繊維に捕集された毛が、当該繊維に必要以上に強く絡みつかないというメリットがある。更に、繊維１２ａの起毛量を１０ｇ／ｃｍ２以上に設定しているため、確実にペットの抜け毛を捕集することが可能となる。
【００１２】
捕集層１２の起毛領域を形成する繊維１２ａとしては、人工繊維、天然繊維の何れをも使用することができる。例えば、パルプ、レーヨン、ポリプロピレン、ポリエチレン、ポリエステル等の天然、合成繊維を使用する。捕集層１２の起毛領域を形成する繊維として疎水性の繊維を使用した場合には、水洗いした後の乾燥が容易となるというメリットがある。
【００１３】
本実施形態のマットは、約１０ｇ／ｃｍ２の圧力に対して可逆的に圧縮・反発するように、全体の厚みを５ｍｍ以下とし、起毛領域の厚みを０．５〜４．５ｍｍとする。また、当該マットを洗濯機で洗濯しやすい硬さにする。例えば、日本工業規格Ｌ−１０９６（一般織物試験方法）に規定された剛軟度カンチレバー法（６．１９．１法）で測定したときの値が、２００ｍｍ／２５ｍｍ以下になるように設計する。これにより、マット自体の感触が硬いためにペットが敬遠するようなことが無く、ペットが抵抗無く当該マットの上に好んでのるようになる。なお、剛軟度カンチレバー法によって測定される上述の値（２００ｍｍ／２５ｍｍ）は、計測値／サンプルの幅（短手方向長さ）を示す。
【００１４】
樹脂層１４としては、柔軟性のある熱可塑性樹脂を使用する。例えば、ゴム、アクリル樹脂、軟性オレフィン樹脂、ＨＭＴ樹脂等を用いることができる。このような熱可塑性樹脂を加熱処理することにより、基部層１０の繊維部に樹脂の一部が絡み込み、ずれ止め機能が発現する。すなわち、マットをフローリングの床面等、比較的滑り易い場所に配置した場合にも、ずれることが無くなる。なお、樹脂層１４は、基部層１０の裏面に接着剤等で直接貼り合わせることもできる。
【００１５】
本実施形態に係るペット用毛取りマットを製造する際には、高密度繊維集積構造の基部層１０に対し、ニードルパンチ法で起毛用の繊維１２ａを埋め込む。繊維１２ａには、熱融着繊維を５％以上含ませて、加熱処理をすることにより、繊維１２ａ同士を物理的に結合させる。これにより、繊維１２ａがマット（基部層１０）から飛散せず、また、水洗いの際にも抜け難くなる。繊維１２ａに含有する熱融着繊維の割合として、好ましくは、１０％程度とする。
【００１６】
本発明のペット用毛取りマットの一実施例の仕様を以下に示す。
基部層１０
素材：ポリエステルスパンボンド
集積量：３０ｇ／ｍ２
密度：０．１ｇ／ｃｍ３
捕集層１２（繊維１２ａ）
素材：ポリエステル繊維９０％、熱融着繊維１０％
繊維：１１デシテックス６４ｍｍ（ポリエステル繊維）
１１デシテックス５１ｍｍ（熱融着繊維）
起毛量：ポリエステル繊維  ２０ｇ／ｍ２
起毛数（立毛数）：８７７本／ｃｍ２
起毛密度：０．００５ｇ／ｃｍ３
加工法：ニードルパンチ法
起毛部の厚み：１．５４ｍｍ
【００１７】
以上、本発明の実施例について説明したが、本発明はこれらの実施例に何ら限定されるものではなく、特許請求の範囲に示された技術的思想の範疇において変更可能なものである。本発明のペット用毛取りマットの形状や大きさは使用する場所等に応じて適宜設計変更することが好ましい。本発明のペット用毛取りマットの設置場所としては、家の室内、自動車内、ペット用キャリーボックスの中等が考えられる。
【００１８】
【発明の効果】
以上説明したように、本発明によれば、起毛領域を形成する繊維の径を犬や猫などのペットの毛に近い１〜２２デシテックスとしているため、ペットの抜け毛を容易に捕集することができる。
【図面の簡単な説明】
【図１】図１は、本発明の実施例に係るペット用毛取りマットの構造を示す拡大断面図である。
【符号の説明】
１０    基部層
１２    捕集層
１２ａ    繊維
１４    樹脂層
【図１】
0004376402.tif 000002